(57)【要約】  【課題】  患部の特徴を把握し易い読影レポートを容易に作成できる読影レポート作成装置を提供する。  【解決手段】  この読影レポート作成装置は、患部のサイズを入力するために用いられるサイズ記入欄を有するテンプレートと、検査対象部位の模式図であるシェーマとを、読影依頼情報に基づいて準備する表示情報準備部１５と、該表示情報準備部によって準備されたテンプレート及びシェーマを含む読影レポート作成画面を表示部に表示させる画面作成部１６と、ユーザの操作に従って、又は、シェーマに表示されているマーカのサイズに対応して、テンプレートのサイズ記入欄に値を入力するテンプレート記入部１７と、ユーザの操作に従って、又は、テンプレートのサイズ記入欄に記入されている値に対応した大きさで、表示部においてシェーマ上にマーカを表示させるマーカ作成部１９とを含む。【選択図】  図２
2007087271.tif 000002
【特許請求の範囲】
【請求項１】
医用画像を表示するための少なくとも１つの画像表示端末を利用して読影レポートを作成する際に用いられる読影レポート作成装置であって、
患部のサイズを入力するために用いられるサイズ記入欄を有するテンプレートと、検査対象部位の模式図であるシェーマとを、読影依頼情報に基づいて準備する表示情報準備手段と、
前記表示情報準備手段によって準備されたテンプレート及びシェーマを含む読影レポート作成画面を表示部に表示させる画面作成手段と、
ユーザの操作に従って、又は、前記シェーマに表示されているマーカのサイズに対応して、前記テンプレートのサイズ記入欄に値を入力するテンプレート記入手段と、
ユーザの操作に従って、又は、前記テンプレートのサイズ記入欄に記入されている値に対応した大きさで、前記表示部において前記シェーマ上にマーカを表示させるマーカ作成手段と、
を具備する読影レポート作成装置。
【請求項２】
前記読影依頼情報が、検査の種類、検査において使用されたモダリティ、検査対象部位、患者の年齢、及び、患者の性別を表す情報の内の少なくとも１つを含む、請求項１記載の読影レポート作成装置。
【請求項３】
前記テンプレートが、マーカの形態を入力するための記入欄をさらに有し、
前記マーカ作成手段により前記シェーマ上にマーカが表示された場合に、前記テンプレート記入手段が、前記シェーマ上に表示されたマーカの形態に対応する情報を前記テンプレートの前記記入欄に情報を入力し、
前記テンプレート記入手段により前記テンプレートの前記記入欄に情報が入力された場合に、前記マーカ作成手段が、前記記入欄に記入されている情報に対応した形態で、前記シェーマ上にマーカを表示させる、
請求項１又は２記載の読影レポート作成装置。
【請求項４】
前記テンプレートの記入欄に入力される項目を選択肢の形式で表した選択リストを、ユーザの操作に従って表示する選択リスト表示手段をさらに具備する請求項１〜３のいずれか１項記載の読影レポート作成装置。
【請求項５】
前記表示情報準備手段が、前記読影依頼情報に基づいて、前記選択リストとして表示される複数の項目を決定すると共に該複数の項目の並び順を決定する、請求項４記載の読影レポート作成装置。
【請求項６】
前記少なくとも１つの画像表示端末において計測された患部のサイズを取得する計測値取得手段をさらに具備し、
前記マーカ作成手段がユーザの操作に従って前記シェーマ上にマーカを表示させる場合に、前記マーカ作成手段が、前記計測値取得手段によって取得された最新の計測値に対応する大きさで、前記シェーマ上にマーカを表示させる、
請求項１〜５のいずれか１項記載の読影レポート作成装置。
【請求項７】
前記テンプレート記入手段が、前記計測値取得手段によって患部のサイズが取得されたときに、該サイズを前記サイズ記入欄に入力する、請求項６記載の読影レポート作成装置。
【請求項８】
複数種類のシェーマと、複数種類のテンプレートとを格納する格納手段をさらに具備し、
前記表示情報準備手段が、前記格納手段に格納されている複数種類のシェーマ及び複数種類のテンプレートの内から、前記読影依頼情報に基づいてシェーマ及びテンプレートを選択する、請求項１〜７のいずれか１項記載の読影レポート作成装置。
【発明の詳細な説明】
【技術分野】
【０００１】
本発明は、画像による医療診断のために用いられる検査画像（医用画像）の撮影後に医師によって行われる読影を支援するための読影支援システムにおいて、読影レポートを作成するために用いられる読影レポート作成装置に関する。
【背景技術】
【０００２】
近年、ＣＲ（computed radiography：コンピュータ放射線撮影）、ＭＲＩ（magnetic resonance imaging：磁気共鳴撮影）、ＣＴ（computed tomography：コンピュータ断層撮影）等の医用ディジタル画像生成技術の普及に伴い、検査によって取得された医用画像を電子的に管理することが行われている。
【０００３】
一般に、撮像検査が行われた場合には、患者に対して担当医による具体的な診断が下される前に、生成された医用画像について読影医による読影が行われ、読影結果や所見が記入された読影レポートが作成される。従来は、ディジタル画像データが生成された場合においても、読影の際には、写真フィルムにハードコピーされた医用画像が用いられていたが、高精細な画像モニタ（ビューワ）の開発に伴い、モニタ上に表示された医用画像を読影することも行われるようになっている。
【０００４】
ところで、通常、読影レポートの作成は、読影者がワープロ等に機能を用いることにより、読影結果を文書として入力することにより行われる。しかしながら、このような入力作業は、特に、読影経験が浅い医師にとっては大きな負担となっている。また、検査の種類によって複数の部位に関して所見を記入する必要があるので、読影医の作業量は多くなる。さらに、読影医ごとに異なる表現や様式によって読影結果が記入されている場合には、読影レポートを参照する者（診断医等）にとって煩雑になってしまうため、診断効率を上げることができない。
【０００５】
関連する技術として、特許文献１には、医用検査の検討結果に関するレポートであって、過不足が無く、しかも表現等が統一された品質の高いレポートを少ない作業負担で作成するためのレポート作成支援システムが開示されている。このレポート作成支援システムにおいては、レポートの作成に必要な情報を、複数種類の入力形式を選択的に使って入力することが可能となっている（第１頁）。また、このレポート作成支援システムにおいては、シェーマ上に入力されたテキスト情報が、表入力形式やチェック入力形式の入力項目に対して自動的に連動するようになっている（第５頁）。
【特許文献１】特開２００１−１２６００７号公報（第１、５頁）
【発明の開示】
【発明が解決しようとする課題】
【０００６】
しかしながら、特許文献１においては、マーカを挿入するために入力されるテキスト情報とシェーマ上に入力されるマーカのサイズとは対応していない。そのため、シェーマ上に疾患部の相対的な大きさを考慮したマーカを表示した読影レポートを作成することができない。従って、そのような読影レポートを用いる場合には、レポートの参照者が、患部の大きさや広がりに基づいて判断すべき特徴を把握し難いという問題が生じている。
【０００７】
そこで、上記の点に鑑み、本発明は、患部の特徴を把握し易い読影レポートを容易に作成できる読影レポート作成装置を提供することを目的とする。
【課題を解決するための手段】
【０００８】
上記課題を解決するため、本発明に係る読影レポート作成装置は、医用画像を表示するための少なくとも１つの画像表示端末を利用して読影レポートを作成する際に用いられる読影レポート作成装置であって、患部のサイズを入力するために用いられるサイズ記入欄を有するテンプレートと、検査対象部位の模式図であるシェーマとを、読影依頼情報に基づいて準備する表示情報準備手段と、該表示情報準備手段によって準備されたテンプレート及びシェーマを含む読影レポート作成画面を表示部に表示させる画面作成手段と、ユーザの操作に従って、又は、シェーマに表示されているマーカのサイズに対応して、テンプレートのサイズ記入欄に値を入力するテンプレート記入手段と、ユーザの操作に従って、又は、テンプレートのサイズ記入欄に記入されている値に対応した大きさで、表示部においてシェーマ上にマーカを表示させるマーカ作成手段とを具備する。
【発明の効果】
【０００９】
本発明によれば、テンプレートに入力された情報とシェーマ上に表示されるマーカのサイズとを連動させることにより、読影レポートにおいて患部のサイズや広がりに基づいて判断される特徴を把握し易くなるので、効率良く診断を行うことが可能となる。
【発明を実施するための最良の形態】
【００１０】
以下、本発明を実施するための最良の形態について、図面を参照しながら詳しく説明する。なお、同一の構成要素には同一の参照番号を付して、説明を省略する。
図１は、本発明の一実施形態に係る読影レポート作成装置を含む読影支援システムの構成を示すブロック図である。
【００１１】
この読影支援システムは、読影レポート作成装置１と、少なくとも１つの画像表示端末（ビューワ）２と、画像サーバ３と、読影レポートサーバ４とを含んでいる。また、読影レポート作成装置１は、ＲＩＳ（radiology information system：放射線科情報管理システム）５、及び、ＣＲ装置６ａ、ＣＴ装置６ｂ、ＭＲＩ装置６ｃ等の撮影モダリティに接続されていても良い。図１に示すように、これらの装置は、ＬＡＮ（ローカル・エリア・ネットワーク）等のネットワークを介して相互に接続されていても良い。
【００１２】
図１に示すように、読影レポート作成装置１は、表示部１００及び入力部１１０を備えている。表示部１００は、読影すべき検査をユーザ（読影医）が選択するために用いられるワークリストや、読影レポート作成画面等を表示するための表示装置である。また、入力部１１０は、キーボードやマウス等の入力デバイスである。ユーザは、後述する画像表示端末２に表示された検査画像を観察しながら、表示部１００に表示された読影レポート作成画面内の所定の情報入力欄に入力部１１０を用いて情報を入力することにより、読影レポートを作成する。
【００１３】
図１に示す表示部１００の画面には、読影レポートを作成する際に用いられるシェーマ１０１及びテンプレート１０２が表示されている。ここで、シェーマとは、検査対象となっている部位（臓器等）を示す模式図のことであり、読影レポートに貼り付けて使用される。
【００１４】
画像表示端末２は、読影対象となっている検査画像を表示するための端末装置であり、高精細なディスプレイを備えている。図１に示す画面２００には、乳房の検査画像が表示されている。なお、図１には１つの画像表示端末２が示されているが、読影に際しては、必要に応じて２つ以上の画像表示端末を用いても良い。
【００１５】
画像サーバ３は、例えば、ＣＲ装置６ａ、ＣＴ装置６ｂ、ＭＲＩ装置６ｃ等の撮影モダリティによって取得された画像データを保管及び管理するＰＡＣＳ（Picture Archiving and Communication System：医用画像情報システム）用のサーバである。画像サーバ３は、読影レポート作成装置１の要求に従って、所望の画像データを読影レポート作成装置１に出力する。
【００１６】
読影レポートサーバ４は、読影レポートを表すレポートデータを格納している。レポートデータには、レポートＩＤ、患者ＩＤ、患者名、検査ＩＤ、読影医による所見を表す情報、シェーマ画像等が含まれる。
【００１７】
ＲＩＳ５は、放射線科における放射線検査を管理するためのサーバであり、入力用端末によって入力された患者情報や検査内容等の情報に基づいて、検査スケジュールの管理や、撮影モダリティへの検査のオーダーや、撮像が終了した検査について読影のオーダー（読影依頼）を行う。読影のオーダーは、読影レポートサーバ４に格納される。
【００１８】
次に、図１及び図２を参照しながら、本実施形態に係る読影レポート作成装置の構成について説明する。
図２は、図１に示す読影レポート作成装置の構成を示すブロック図である。図２に示すように、読影レポート作成装置１は、先に説明した表示部１００及び入力部１１０に加えて、中央演算装置（以下、ＣＰＵという）１０と、読影レポートサーバ４から入力されるレポートデータや画像サーバ３から入力される画像データ等を一旦記憶するメモリ１２０と、記録媒体としてのハードディスク１３１を制御するハードディスク制御部１３０と、ネットワークインタフェース１４０とを含んでいる。これらは、バスラインを介して相互に接続されている。また、ＣＰＵ１０は、ネットワークインタフェース１４０を介して、ネットワークに接続される。
【００１９】
ハードディスク１３１には、読影レポートに所見を入力するために用いられるシェーマ画像やテンプレートや選択リスト等が記録されている。シェーマ画像及びテンプレートは、検査種類や検査部位等に応じて複数種類ずつ用意されている。また、ハードディスク１３１には、読影レポートを作成するために用いられる情報や、ＣＰＵ１０に処理を行わせるためのソフトウェア（プログラム）等も記録されている。なお、記録媒体としては、内蔵のハードディスク１３１以外に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２０】
次に、ＣＰＵ１０とソフトウェア（プログラム）とによって構成される複数の機能ブロックについて説明する。これらの機能ブロックは、依頼情報取得部１１と、画像データ取得部１２と、画像データ出力部１３と、計測データ取得部１４と、表示情報準備部１５と、画面作成部１６と、テンプレート記入部１７と、選択リスト表示部１８と、マーカ作成部１９と、ウィザード表示部２０と、レポート作成部２１と、レポート保存部２２とを含んでいる。
【００２１】
依頼情報取得部１１は、読影依頼情報（依頼情報、又は、オーダー情報とも呼ばれる）を、読影レポートサーバ４からネットワークを介して取得する。この依頼情報には、検査ＩＤ、検査画像ＩＤ、検査種類、患者名、患者の年齢及び性別、使用されたモダリティ、検査部位等が含まれている。或いは、依頼情報取得部１１は、依頼情報をオフラインで取得しても良いし、読影レポート作成装置がＨＩＳ（病院情報システム）等の他のシステムにも接続されている場合には、そのようなシステムからネットワークを介して依頼情報を取得しても良い。
【００２２】
画像データ取得部１２は、依頼情報に基づいて、読影対象となる検査画像を表す画像データ（検査画像データ）及びその付帯情報を画像サーバ３から取得する。或いは、画像データ取得部１２は、ＤＶＤ（digital versatile disk）やＣＤ（compact disk）等の記録媒体から、オフラインで検査画像データ及びその付帯情報を取得するようにしても良い。
【００２３】
画像データ出力部１３は、検査画像データを図１に示す画像表示端末２に出力することにより、画面２００に検査画像を表示させる。なお、画像表示端末２が、読影レポート作成装置１の制御の下で、画像サーバ３から検査画像データを直接受け取るようにしても良い。
【００２４】
計測データ取得部１４は、画像表示端末２において、検査画像に表示された患部（図１の画面２００に示す患部２０１）のサイズが計測されたときに、その計測値を取得し、後述するテンプレート記入部１７に入力する。また、計測データ取得部１４は、患部の検査画像における位置情報を併せて取得し、テンプレート記入部１７に入力しても良い。ここで、患部には、腫瘤や石灰化部分等が含まれる。また、患部は、画像表示端末２が有する検出ツールや、ユーザの操作によるマーキングによって決定され、患部のサイズは、画像表示端末２が有する計測ツールによって計測される。この患部のサイズには、患部の面積や、線分の長さや、２直線線間の比率（心胸郭比）等が含まれる。
【００２５】
表示情報準備部１５は、ハードディスク１３１に格納されている複数種類のシェーマ及びテンプレートの内から、依頼情報に含まれる検査種類、モダリティ、及び、検査部位に基づいて、読影依頼された検査に対応するシェーマ及びテンプレートを選択することにより、読影レポート作成画面を表示するための準備を行う。
【００２６】
図３は、本実施形態において、表示部１００の画面に表示される読影レポート作成画面を示している。図３に示すように、例えば、乳房検査についての読影が行われる場合には、乳房検査用のシェーマ画面３１及びテンプレート３２が画面３０に表示される。
【００２７】
図３に示すように、シェーマ画面３１は、乳房を側方から見たシェーマ画像３１ａ及び乳房を上方から見たシェーマ画像３１ｂを含んでいる。また、シェーマ画面３１には、マーカ３１１及び３１２が表示されている。
マーカ３１１及び３１２の位置及びサイズは、検査画像における患部の位置及びサイズに対応しており、マーカの内部又は近辺には、患部のサイズを示す数値が表示されている。また、マーカ３１１及び３１２の形態は、患部の性状を表している。即ち、マーカの形状は患部の形状（円形／楕円形、多角形、分葉形、不整形等）を簡易的に示しており、マーカの縁取りの形状（実線、破線、波線等）は患部の辺縁の状態（評価困難、境界明瞭、境界不明瞭、微細分葉状、スピキュラ等）を示しており、マーカの輝度やハッチングは患部の組織の状態や濃度（脂肪含む、低濃度、高濃度等）を示している。
【００２８】
シェーマ画像３１ａ及び３１ｂは、複数の領域に区分されている。この区分方法は、検査種類や検査部位に応じて標準的に定められており、区分された各領域は、区分記号（１）〜（５）、及び、（７）〜（８）によって特定される。また、シェーマ画面３１には、検査画像に対する縮尺を示す目盛り３１３が表示されている。この目盛りは、後述するように、ユーザがマーカのサイズを入力する際に参照用として用いられる。
一方、テンプレート３２には、右乳房及び左乳房の各々について、腫瘤及び石灰化部分のサイズや性状等を入力するための記入欄３２１、３２２、…が設けられている。
【００２９】
再び、図２を参照すると、表示情報準備部１５は、ハードディスク１３１に格納されている複数種類の選択リストの内から、依頼情報に含まれる検査種類及び検査部位に対応する選択リストを抽出する。ここで、選択リストとは、テンプレート３２内の記入欄に記入される項目を選択肢の形式で表したものである。図４に示すように、乳房検査に関する選択リストには、腫瘤に関する形状リスト３３１、濃度リスト３３２、及び、辺縁リスト３３３や、石灰化に関する分布リスト３３４等がある。なお、図３には、辺縁リスト３３３が辺縁記入欄３２５にポップアップ表示されている様子が示されている。
【００３０】
さらに、表示情報準備部１５は、選択リストの各々について、選択肢として表示される項目を、検査種類、検査部位、患者の年齢及び性別等の依頼情報に応じて選択すると共に、それらの依頼情報に応じて並べ替える。具体的には、選択される可能性の高い項目が、選択リストの上位に表示されるようにする。それにより、選択リストにおいて、依頼情報から判断される最適な項目が最適な並び順で表示される。
画面作成部１６は、表示情報準備部１５によって選択されたシェーマ及びテンプレートを含む読影レポート作成画面を作成し、表示部１００に表示させる。
【００３１】
テンプレート記入部１７は、計測データ取得部１４によって患部のサイズの計測値が取得されたときに、又は、ユーザの操作に従って、テンプレート３２内の記入欄に情報を入力する。具体的には、テンプレート３２の部位記入欄３２１には、検査画像上の患部の位置に対応するシェーマ画像の区分記号（１）〜（５）又は（７）〜（８）が入力される。なお、患部が複数の区分にまたがっている場合には、記号（６）が入力される。また、サイズ記入欄３２２には、患部の計測値が入力される。このサイズ記入欄３２２への入力は、計測データ取得部１４が計測値を取得することにより自動的に行われるようにしても良いし、ユーザにより手動で行われても良い。さらに、形状記入欄３２３、濃度記入欄３２４、辺縁記入欄３２５、及び、分布記入欄３２６には、図４に示す形状リスト３３１、濃度リスト３３２、辺縁リスト３３３、及び、分布リスト３３４の内からユーザによって選択された項目がそれぞれ入力される。
【００３２】
選択リスト表示部１８は、ユーザがテンプレート３２の記入欄３２３〜３２６のいずれかにカーソルを合わせてマウスを右クリックしたときに、表示情報準備部１５によって抽出された選択リストの内から、その記入欄に対応する選択リスト３３１〜３３４をポップアップ表示する。また、選択リスト表示部１８は、ユーザがシェーマ画面３１上のマーカ３１１又は３１２にカーソルを合わせてマウスを右クリックしたときにも、選択リストをポップアップ表示する。この場合に、選択リスト表示部１８は、図５に示すように、まず、記入欄の項目（「形状」、「濃度」、「辺縁」、「分布」）を選択させるためのリストを表示し、それらの項目の内のいずれかが選択されたときに、選択された項目に関する選択リスト（図４参照）を表示する。
【００３３】
マーカ作成部１９は、テンプレート３２のサイズ記入欄３２２に値（計測値）が入力されたときに、その値に対応する大きさのマーカを作成して、シェーマ画面３１に挿入する。その際に、マーカ作成部１９は、部位記入欄３２１に区分記号（１）〜（８）が入力されている場合には、対応する区分内にマーカを挿入し、区分記号が入力されていない場合には、いずれかの区分にマーカを挿入する。さらに、マーカ作成部１９は、挿入されたマーカの内部又は近辺に、サイズ記入欄３２２に入力されている値を表示させるようにしても良い。
【００３４】
また、マーカ作成部１９は、テンプレート３２の形状記入欄３２３、濃度記入欄３２４、辺縁記入欄３２５、及び、分布記入欄３２６に情報が入力されたときに、入力された情報に応じて、挿入されたマーカの形態（形状、輝度等）を変化させる。さらに、マーカ作成部１９は、テンプレート３２に入力された情報がユーザの操作により変更されたときに、変更後の情報に合わせてマーカの位置やサイズや形態を変化させる。
【００３５】
加えて、マーカ作成部１９は、ユーザが所定の操作を行うことによりマーカ挿入命令を入力したときに、シェーマ画面３１にマーカを挿入する。この命令は、例えば、シェーマ画面３１上にカーソルを合わせてマウスをダブルクリックしたり、マウスを右クリックすることによってポップアップ表示された項目の内から所定の項目を選択するという操作によって入力される。その際に挿入されるマーカの基準サイズとしては、シェーマ画像ごとに設定されている固定値、又は、計測データ取得部１４によって取得された最新の患部の計測値が用いられる。また、マーカが挿入される位置は、予め設定された固定位置としても良いし、カーソルが置かれた区分内としても良い。さらに、マーカ作成部１９は、マーカのサイズに対応する患部のサイズを表す値を、マーカの内部又は近辺に表示しても良い。
【００３６】
また、マーカ作成部１９は、シェーマ画面３１に挿入されたマーカの位置やサイズや形態を、シェーマ画面３１上におけるユーザの操作に従って変更する。例えば、図３に示すように、マーカ３１１の位置を変更するときには、ユーザは、マーカをドラッグ（マウスの左ボタンを押しながらマウスを移動させること）し、所望の位置でドロップ（マウスの移動先で左ボタンを離すこと）する。また、マーカのサイズを変更するときには、ユーザは、目盛り３１３を参照しながらマーカをドラッグ等する。その際に、マーカの内部又は近辺に患部のサイズを示す値が表示されている場合には、マーカ作成部１９は、その数値も併せて変更する。さらに、マーカの形態を変更するときには、ユーザは、マーカにカーソルを合わせてマウスを右クリックすることにより選択リストを表示させて、所望の項目を選択する。
【００３７】
これらのテンプレート記入部１７とマーカ作成部１９とは、連動して動作している。即ち、先にも述べたように、テンプレート３２に情報が入力されたときに、その情報に基づいて作成されたマーカがシェーマ画面３１に挿入されるが、反対に、シェーマ画面３１内のマーカがユーザの操作によって変更されたときには、それに応じて、テンプレート３２に入力されている情報が変更される。また、ユーザの操作によってシェーマ画面３１にマーカが挿入されたときには、テンプレート記入部１７はテンプレート３２に新たな記入欄を設け、挿入されたマーカの位置、サイズ、及び、形態に応じて、記入欄に情報を入力する。
【００３８】
ウィザード表示部２０は、ウィザード形式でマーカを作成する場合に、表示部１００に表示されるウィザード画面を作成する。ウィザード画面は、新たなマーカが作成されるときに自動的に立ち上げられる。或いは、ウィザード画面を表示するか否かを、ユーザごとに予め設定しておいても良い。
【００３９】
図６は、腫瘤のマーカを作成するためのウィザード画面を示している。図６の（ａ）〜（ｃ）に示す画面は、ユーザが項目ボタン３４１又はマークボタン３４２の内の所望のボタンを選択し、「次へ」ボタン３４３をクリックすることにより、順次切り替えられる。そして、最後に表示される図６の（ｄ）の画面に、選択されたマーカの形態３４４が表示される。この画面において、ユーザが「ＯＫ」ボタン３４５をクリックすることにより、マーカの形態が確定され、マーカがシェーマ画面３１に挿入される。
これらのウィザード画面に表示される選択肢は、図４に示す選択リスト３３１〜３３４におけるのと同様に、表示情報準備部１５によって項目及び並び順を管理されている。
【００４０】
再び、図２を参照すると、レポート作成部２１は、画面作成部１６に表示されている情報に基づいて、読影レポートデータを作成する。
レポート保存部２２は、ユーザによって読影レポートの保存命令が入力されたときに、又は、読影レポートの作成動作の終了命令が入力されたときに、レポート作成部２１によって作成された読影レポートデータをハードディスク１３１に格納させる。
【００４１】
次に、本実施形態に係る読影レポート作成装置を利用した読影レポート作成動作を、乳房の検査画像を読影する場合を例として説明する。
図１に示す読影レポート作成装置１は、読影の依頼情報を受け取ることにより動作を開始する。そして、画像サーバ３から検査画像データを取得することにより検査画像を画像表示端末２に表示させると共に、図３に示すように、依頼情報に基づいて選択されたシェーマ画面３１及びテンプレート３２を表示部１００に表示する。
【００４２】
ユーザは、画像表示端末２に表示された検査画像において、マウスを用いて患部をマークする。それにより、画像表示端末２が有する計測ツールにより、患部のサイズが計測される。そして、患部の位置情報（区分記号）及び計測値が、読影レポート作成装置１の計測データ取得部１４を介して、テンプレート３２のサイズ記入欄３２２及び部位記入欄３２１にそれぞれ入力される。或いは、ユーザは、部位記入欄３２１及びサイズ記入欄３２２に、区分記号及び患部のサイズを表す値を手動で入力しても良い。
【００４３】
それに応じて、シェーマ画面３１に、入力された値に対応する大きさのマーカ３１１が挿入される。その後で、ユーザ３１１は、検査画像を参照しながらマーカをドラッグ等することにより、マーカの位置及びサイズを調整しても良い。
【００４４】
また、シェーマ画面３１にマーカが挿入されることにより、図６の（ａ）〜（ｄ）に示すウィザード画面が立ち上がる。ユーザは、検査画像を参照しながら、ウィザード画面に示された指示に従って情報を入力することにより、マーカの形態（即ち、患部の性状）を決定する。
【００４５】
マーカ３１１のサイズを変更するときには、ユーザは、シェーマ画面３１においてマーカのサイズを直接変更しても良いし、テンプレート３２のサイズ記入欄３２２に入力されている値を変更しても良い。前者の場合には、テンプレート３２のサイズ記入欄３２２の値が連動して変化し、後者の場合には、マーカ３１１のサイズが連動して変化する。
【００４６】
また、マーカ３１１の形態を変更するときには、ユーザは、シェーマ画面３１に選択リスト（図５）を表示させて所望の項目を選択しても良いし、テンプレート３２内の記入欄３２３〜３２６に選択リスト（図４）を表示させて所望の項目を選択しても良い。いずれの操作を行っても、マーカ３１１が所望の形態に変更されると共に、テンプレート３２の記入欄３２３〜３２６に入力されている情報が変化する。
【００４７】
ユーザは、このようにして患部に関する所見を入力し終えた後で、読影レポートを保存する命令を入力する。それにより、作成された読影レポートデータがネットワークを介して読影レポートサーバ４（図１）に格納される。
【００４８】
以上説明したように、シェーマ上に表示されたマーカの位置やサイズや形態と、テンプレートに記入されている情報とを連動させることにより、レポート作成効率を向上させることが可能となる。また、シェーマ上のマーカの位置及びサイズを、検査画像上の患部の位置及びサイズに対応させることにより、シェーマにおいて患部の特徴を把握し易くなるので、読影レポートを参照した診断効率を向上させることが可能となる。
【００４９】
さらに、選択リストに表示される項目やウィザード画面に表示される項目を、使用されるモダリティや検査部位や患者の年齢等に応じて適切な項目に絞り込むと共に、適切な並び順となるように配置するので、テンプレート入力やマーカ作成の効率を向上させることが可能となる。
【産業上の利用可能性】
【００５０】
本発明は、医用画像の撮像後に医師によって行われる読影を支援するための読影支援システムにおいて、読影レポートを作成するために用いられる読影レポート作成装置において利用することが可能である。
【図面の簡単な説明】
【００５１】
【図１】本発明の一実施形態に係る読影レポート作成装置を含む読影支援システムの構成を示すブロック図である。
【図２】本発明の一実施形態に係る読影レポート作成装置の構成を示すブロック図である。
【図３】図２に示す読影レポート作成装置の表示部に表示される画面を示す模式図である。
【図４】マーカの形態によって表される患部の性状を選択する際に、テンプレートに表示される選択リストを示す模式図である。
【図５】マーカの形態によって表される患部の性状を選択する際に、シェーマ画面に表示される選択リストを示す模式図である。
【図６】マーカの形態によって表される患部の性状を選択する際に表示されるウィザード画面を示す模式図である。
【符号の説明】
【００５２】
１  読影レポート作成装置
２  画像表示端末
３  画像サーバ
４  読影レポートサーバ
５  ＲＩＳ
６ａ  ＣＲ装置
６ｂ  ＣＴ装置
６ｃ  ＭＲＩ装置
１０  ＣＰＵ
１１  依頼情報取得部
１２  画像データ取得部
１３  画像データ出力部
１４  計測データ取得部
１５  表示情報準備部
１６  画面作成部
１７  テンプレート記入部
１８  選択リスト表示部
１９  マーカ作成部
２０  ウィザード表示部２０
２１  レポート作成部
２２  レポート保存部
３１  シェーマ画面
３１ａ、３１ｂ  シェーマ画像
３２  テンプレート
１００  表示部
１０２  キー画像
１１０  入力部
１２０  メモリ
１３０  ハードディスク制御部
１３１  ハードディスク
１４０  ネットワークインタフェース
２００  画面
２０１  患部
３２１  部位記入欄
３２２  サイズ記入欄
３２３  形状記入欄
３２４  濃度記入欄
３２５  辺縁記入欄
３２６  分布記入欄
３３１  形状リスト
３３２  濃度リスト
３３３  辺縁リスト
３３４  分布リスト
３４１  項目ボタン
３４２  マークボタン
３４３  「次へ」ボタン
３４４  マーカ表示
３４５  「ＯＫ」ボタン
【図１】
2007087271.tif 000003
【図２】
2007087271.tif 000004
【図３】
2007087271.tif 000005
【図４】
2007087271.tif 000006
【図５】
2007087271.tif 000007
【図６】
2007087271.tif 000008